(57)【要約】      （修正有）【課題】演奏会終了後に演奏用具に貼着材が残存せず、演奏会の視覚的効果に悪影響のない演奏用具滑り止めシートを提供する。【解決手段】両面が吸着形状に加工された圧着面で構成する。又は、片面が吸着形状に加工された圧着面であり他面が粘着材を塗布された粘着面とする。軟質塩化ビニル樹脂製又はポリエステル製とし、表面をステージの床と同一又は類似の色（黒色又は濃茶色）とする。【選択図】図２
0003184164.tif 000002
【実用新案登録請求の範囲】
【請求項１】
両面が吸着形状に加工された圧着面であることを特徴とする、演奏用具滑り止めシート。
【請求項２】
片面が吸着形状に加工された圧着面であり、
他面が粘着材を塗布された粘着面であることを特徴とする、演奏用具滑り止めシート。
【請求項３】
アクリル製、軟質塩化ビニル樹脂製又はポリエステル製であることを特徴とする、請求項１又は２に記載の演奏用具滑り止めシート。
【請求項４】
黒色、濃茶色又は透明であることを特徴とする、請求項１〜３のいずれか１項に記載の演奏用具滑り止めシート。
【考案の詳細な説明】
【技術分野】
【０００１】
本考案は、楽器、ペダル、エフェクタ、スピーカ、その他演奏会においてステージの床又はステージ上の台に置かれる演奏用具について、演奏中に移動してしまうことを防止する演奏用具滑り止めシートに関するものである。
【背景技術】
【０００２】
演奏会においては、楽器（例えばカホン）をステージの床に置く、楽器（例えば琴）をステージ上の台に置く、楽器の操作具（例えばドラムのペダル）をステージの床に置く、楽器と接続された電気器具（例えばエレキギターに接続されたエフェクタ）をステージの床に置く、音響器具（例えばマイクロフォン、スピーカ）をステージの床に置く、その他の補助具（例えば譜面台）をステージの床又はステージ上の台に置く等、多くの物をステージの床又はステージ上の台に置く。
これらの物が演奏中に移動してしまうことは、演奏会に支障をきたす。楽器、楽器の操作具又はその他の補助具が移動すれば演奏が困難となる。楽器と接続された電気器具が移動すればその電気器具の結線がはずれてしまい音響効果が得られなくなる可能性がある。音響器具が移動すれば設計した音響効果が得られなくなる。
そこで、演奏中の移動を防止するために、物を固定することが多かった。
【０００３】
従来、かかる固定には、以下の方法が用いられていた。（１）ステージの床に物をガムテープで固定する。（ガムテープが物の上面に貼着される。）（２）物の下面とステージの床又はステージ上の台に面ファスナを貼着し、面ファスナで固定する。
しかし、（１）の方法はステージにガムテープが露出して演奏会の視覚的効果に悪影響がある。（１）（２）の方法のいずれも、演奏会終了後に物（高価な楽器の場合もある）に粘着材が残存してしまい、その除去に手間と注意を要する。
【先行技術文献】
【特許文献】
【０００４】
【特許文献１】特開平０８−２９４９８１号公報
【考案の概要】
【考案が解決しようとする課題】
【０００５】
解決しようとする課題は、演奏会終了後に物に粘着材が残存せず、演奏会の視覚的効果に悪影響のない演奏用具滑り止めシートを提供することである。
【課題を解決するための手段】
【０００６】
本考案の演奏用具滑り止めシートは、
両面が吸着形状に加工された圧着面であることを特徴とする。
【０００７】
吸着形状に加工された圧着面は、例えば特許文献１に示されたものであり、粘着材を用いずにシートの面と接触物を固着する。演奏会終了後に物に粘着材が残存することがない。
また、粘着材を用いていないので、演奏用具滑り止めシートを洗うことができ、汚れの少ない状態で繰り返し使用することができる。
【０００８】
本考案の演奏用具滑り止めシートは、
片面が吸着形状に加工された圧着面であり、
他面が粘着材を塗布された粘着面であることを特徴とする。
【０００９】
シートの片面が楽器等の物に固着され、他面がステージの床又はステージ上の台に固着される。ステージの床又はステージ上の台に固着される面については、粘着材を用いても、後に粘着材を除去することが容易である。
【００１０】
本考案の演奏用具滑り止めシートは、
アクリル製、軟質塩化ビニル樹脂製又はポリエステル製であることを特徴とする。
【００１１】
吸着形状に加工することが容易であり、かつ、鋏やカッターナイフで切断しやすい材質のシートである。
圧着加工の容易性の点で、発泡体であることが好ましい。
【００１２】
本考案の演奏用具滑り止めシートは、
黒色、濃茶色又は透明であることを特徴とする。
【００１３】
ステージの床は、黒色又は濃茶色であることが多い。ステージの床と同一又は類似の色のシートであれば、演奏会の視覚的効果に悪影響のないものとなる。また、透明であればステージの床の色にかかわらず演奏会の視覚的効果に悪影響のないものとなる。
【考案の効果】
【００１４】
演奏会終了後に物に粘着材が残存せず、演奏会の視覚的効果に悪影響のない演奏用具滑り止めシートが提供される。
【図面の簡単な説明】
【００１５】
【図１】図１は、演奏用具滑り止めシートの断面図である。（実施例１）
【図２】図２は、演奏用具滑り止めシートの断面図である。（実施例２）
【考案を実施するための形態】
【００１６】
以下、本考案の実施例を示す。
【実施例１】
【００１７】
図１は、演奏用具滑り止めシートの断面図である。演奏用具滑り止めシート１は、黒色の軟質塩化ビニル樹脂製であり、一辺４０ｃｍの正方形状である。大きな楽器、エフェクタ、その他大きなものを演奏中に移動してしまうことのないように固定するために十分な大きさである。ドラムのペダル等の比較的小さなものを固定する場合には、鋏やカッターナイフで切断して用いることができる。なお、大きさ及び形状については用途に応じて設計すればよい。
【００１８】
ステージの床が黒色のライブハウスにおいて、エレキギター及びドラムの演奏会を行う。演奏会においては、ギタースタンド、ギターアンプ、エフェクタ、ドラム、ドラムのペダル及びスピーカをステージの床に固定する。固定は、演奏用具滑り止めシート１によって行われる。図１は、演奏用具滑り止めシートの断面図である。演奏用具滑り止めシート１は、その両面が圧着面２である。圧着面２には、直径５ｍｍ、深さ０．５ｍｍの吸着形状が多数設けられている。なお、吸着形状の大きさ、形状、深さについては圧着させる機材などの用途に応じて設計すればよい。
【００１９】
ステージの床に演奏用具滑り止めシート１を置き、その上にギタースタンド、ギターアンプ、エフェクタ、ドラム、ドラムのペダル及びスピーカを置くことにより、ギタースタンド、ギターアンプ、エフェクタ、ドラム、ドラムのペダル及びスピーカは、その自重によって演奏用具滑り止めシート１の表面に圧着され、演奏用具滑り止めシート１の裏面をステージの床に圧着する。自重が小さい物については、手で押さえつけて圧着すればよい。
【００２０】
ステージの床と演奏用具滑り止めシート１とが共に黒色なので、演奏会中に演奏用具滑り止めシート１が視覚的効果に悪影響を与えることはない。
【００２１】
演奏会終了後は、演奏用具滑り止めシート１を剥離すれば、ギタースタンド、ギターアンプ、エフェクタ、ドラム、ドラムのペダル及びスピーカにも、ステージの床にも粘着材が残存することなく、容易に片付けることができる。
【実施例２】
【００２２】
図２は、演奏用具滑り止めシートの断面図である。演奏用具滑り止めシート１は、茶色のポリエステル製であり、一辺３０ｃｍの正方形状である。実施例１と同様に、比較的小さなものを固定する場合には、鋏やカッターナイフで切断して用いることができる。
【００２３】
ステージの床が茶色の木製である公共施設において、和太鼓と琴の演奏会を行う。演奏会においては、和太鼓をステージの床に固定し、琴をステージ上の台に固定する。ステージ上の台は、ステージ床と同色の木製のものである。固定は、演奏用具滑り止めシート１によって行われる。図２は、演奏用具滑り止めシートの断面図である。演奏用具滑り止めシート１は、その片面が圧着面２であり。圧着面２には、直径４ｍｍ、深さ０．４ｍｍの吸着形状が多数設けられている。演奏用具滑り止めシート１の圧着面２と反対側の面には粘着材３が塗布されている。粘着材３は保護シート４で覆われており、演奏用具滑り止めシート１を使用しない時には粘着しない。
【００２４】
演奏用具滑り止めシート１の保護シート４を剥がし、粘着材３がステージの床に接するように置く。演奏用具滑り止めシート１は、粘着材３によってステージの床に固定される。演奏用具滑り止めシート１の上に和太鼓の台を置くことにより、和太鼓の台は、その自重によって演奏用具滑り止めシート１の表面に圧着される。さらに、別の演奏用具滑り止めシート１の保護シート４を剥がし、粘着材３が和太鼓の台に接するように置く。演奏用具滑り止めシート１は粘着材３によって和太鼓の台に固定される。演奏用具滑り止めシート１の上に和太鼓を置くことにより、和太鼓は、その自重によって演奏用具滑り止めシート１の表面に圧着される。このように、ステージ、和太鼓の台、和太鼓の３つを相互に固定することもできる。
別の演奏用具滑り止めシート１の保護シート４を剥がし、粘着材３がステージ上の台に接するように置く。演奏用具滑り止めシート１は、粘着材３によってステージ上の台に固定される。演奏用具滑り止めシート１の上に琴を置き、琴を上から手で押さえつけて演奏用具滑り止めシート１の表面に圧着する。
【００２５】
ステージの床及びステージ上の台と演奏用具滑り止めシート１とが共に黒色なので、演奏会中に演奏用具滑り止めシート１が視覚的効果に悪影響を与えることはない。
【００２６】
演奏会終了後は、演奏用具滑り止めシート１を剥離する。和太鼓及び琴には粘着材が残存することがない。ステージの床及びステージ上の台には粘着材が残存するが、雑巾などで容易に拭き取ることができる。
【産業上の利用可能性】
【００２７】
演奏会終了後に物に貼着材が残存せず、演奏会の視覚的効果に悪影響のない演奏用具滑り止めシートであり、多くの演奏者による利用が考えられる。
【符号の説明】
【００２８】
１    演奏用具滑り止めシート
２    圧着面
３    粘着材
４    保護シール
【図１】
0003184164.tif 000003
【図２】
0003184164.tif 000004